(57)【特許請求の範囲】
【請求項１】
携帯電話機から電話帳データを取得する機能を備えた車載ハンズフリー通話装置であって、
車両の電源がオンになったことに起因して、ハンズフリー通話を行うためのハンズフリー通信プロトコルを用いて前記携帯電話機と接続するハンズフリー接続処理を実行するハンズフリー接続部と、
前記ハンズフリー接続処理の完了後に、前記電話帳データの転送を行うための電話帳データ転送プロトコルを用いて前記携帯電話機と接続して前記電話帳データを取得する電話帳データ接続取得処理を実行する電話帳データ接続取得処理部と、
前記ハンズフリー通信プロトコルを用いた接続中に前記電話帳データ転送プロトコルを用いた接続に失敗した場合に、前記ハンズフリー通信プロトコルを用いた接続を切断してから前記電話帳データ接続取得処理を再度実行する再取得処理部と、
前記再取得処理部が前記電話帳データ接続取得処理における前記電話帳データ転送プロトコルを用いた接続処理を実施した後に、前記ハンズフリー接続処理を再度実行するハンズフリー接続復帰部と、
前記車両の電源がオンになったときまでの電源オフ期間が予め定めた設定期間以下であったか否かを判定する電源オフ期間判定部と、
を備え、
前記電話帳データ接続取得処理部は、前記電源オフ期間が前記設定期間以下であった場合に、前記ハンズフリー接続処理の完了後の前記電話帳データ接続取得処理の実行を取り止める車載ハンズフリー通話装置。
【請求項２】
前記ハンズフリー接続復帰部は、前記電話帳データ転送プロトコルを用いた接続が完了した後であって、前記電話帳データの取得処理を開始する前に、前記ハンズフリー接続処理を再度実行し、
前記ハンズフリー接続が完了した場合には、前記電話帳データの取得処理を開始し、前記電話帳データの取得処理の完了後に、前記電話帳データ転送プロトコルを用いた接続を切断し、
前記ハンズフリー接続が失敗した場合には、前記電話帳データの取得処理を開始し、前記電話帳データの取得処理の完了後に、前記電話帳データ転送プロトコルを用いた接続を切断して前記ハンズフリー接続処理を再度実行する請求項１に記載の車載ハンズフリー通話装置。
【請求項３】
前記ハンズフリー接続復帰部は、前記再取得処理部による前記電話帳データ接続取得処理の完了後に、前記電話帳データ転送プロトコルを用いた接続を切断して前記ハンズフリー接続処理を再度実行する請求項１に記載の車載ハンズフリー通話装置。
【請求項４】
前記ハンズフリー接続処理の完了後に、当該接続した携帯電話機から電話帳データを過去に取得したことがあるか否かを判定する取得履歴判定部と、過去に電話帳データを取得したことがある携帯電話機に接続した場合に、当該携帯電話機に対する前記電話帳データ接続取得処理を実行するか否かをユーザにとって選択可能な状態とすると共に当該選択をユーザに促す報知を行う問合せ処理を実行する問合せ処理部と、を更に備え、
前記電話帳データ接続取得処理部は、前記問合せ処理における選択結果に従って前記電話帳データ接続取得処理の実行又は実行取り止めを選択する請求項１から３のいずれか一項に記載の車載ハンズフリー通話装置。
【請求項５】
前記再取得処理部により前記ハンズフリー通信プロトコルを用いた接続を切断してから、前記ハンズフリー接続復帰部による再度の前記ハンズフリー接続処理が完了するまでの間、前記電話帳データの取得のためにハンズフリー通話を行うための接続を切断中である旨をユーザに報知する切断報知部を更に備える請求項１から４のいずれか一項に記載の車載ハンズフリー通話装置。
【請求項６】
前記電話帳データは、電話番号データ及び通話履歴データの一方又は双方を含み、
前記電話帳データ接続取得処理に際しての前記電話番号データの取得の可否及び前記通話履歴データの取得の可否の一方又は双方をユーザにとって選択可能とすると共に当該選択設定を記憶させる取得設定部を更に備え、
前記電話帳データ接続取得処理部は、前記取得設定部により記憶された選択設定に従って前記電話帳データ接続取得処理を実行する請求項１から５のいずれか一項に記載の車載ハンズフリー通話装置。
【請求項７】
携帯電話機から電話帳データを取得する処理を車載ハンズフリー通話装置が備えるコンピュータに実行させるための電話帳データ取得プログラムであって、
車両の電源がオンになったことに起因して、ハンズフリー通話を行うためのハンズフリー通信プロトコルを用いて前記携帯電話機と接続するハンズフリー接続処理を実行するハンズフリー接続ステップと、
前記ハンズフリー接続ステップの完了後に、前記電話帳データの転送を行うための電話帳データ転送プロトコルを用いて前記携帯電話機と接続して前記電話帳データを取得する電話帳データ接続取得処理を実行する電話帳データ接続取得ステップと、
前記ハンズフリー通信プロトコルを用いた接続中に前記電話帳データ転送プロトコルを用いた接続に失敗した場合に、前記ハンズフリー通信プロトコルを用いた接続を切断してから前記電話帳データ接続取得処理を再度実行する再取得処理ステップと、
前記再取得処理ステップが前記電話帳データ接続取得処理における前記電話帳データ転送プロトコルを用いた接続処理を実施した後に、前記ハンズフリー接続処理を再度実行するハンズフリー接続復帰ステップと、
前記車両の電源がオンになったときまでの電源オフ期間が予め定めた設定期間以下であったか否かを判定する電源オフ期間判定ステップと、
を前記コンピュータに実行させ、
前記電話帳データ接続取得ステップでは、前記電源オフ期間が前記設定期間以下であった場合に、前記ハンズフリー接続処理の完了後の前記電話帳データ接続取得処理の実行を取り止める電話帳データ取得プログラム。
【発明の詳細な説明】
【技術分野】
【０００１】
本発明は、携帯電話機から電話帳データを取得する機能を備えた車載ハンズフリー通話装置に関する。
【背景技術】
【０００２】
携帯電話機から電話帳データを取得する機能を備えた車載ハンズフリー通話装置として、例えば、下記の特許文献１に記載された装置が既に知られている。この車載ハンズフリー通話装置では、ユーザが携帯電話機に記憶されている電話帳データの転送を指示する操作を行った場合に、適切な電話帳データ転送プロトコルを用いて携帯電話機と接続して、電話帳データを取得するように制御している。
【０００３】
しかし、特許文献１の技術では、ユーザが車載ハンズフリー通話装置を操作して、電話帳データの取得処理を実行する必要がある。従って、ユーザは、更新された携帯電話機の電話帳データを転送する度に、車載ハンズフリー通話装置を操作する必要があり、ユーザの利便性が低い。特に、電話帳データの通話履歴データは頻繁に更新される可能性があり、そのような場合には、ユーザは、頻繁に、車載ハンズフリー通話装置を操作する必要がある。
【０００４】
また、携帯電話機には、機種によって、ハンズフリー通話を行うためのハンズフリー通信プロトコルを用いた接続と、電話帳データの転送を行うための電話帳データ転送プロトコルを用いた接続とを同時に実行できるマルチ接続可能機種と、ハンズフリー通信プロトコルを用いた接続と、電話帳データ転送プロトコルを用いた接続とを同時に実行することができないシングル接続機種と、がある。また、携帯電話機が、マルチ接続可能機種か、シングル接続機種かの判定は、実際に接続を試みないと判定できない。従って、電話帳データの取得処理において、携帯電話機の機種に応じて、適切に、ハンズフリー通信プロトコル、及び電話帳データ転送プロトコルを用いた接続及び切断処理を行う必要がある。
【先行技術文献】
【特許文献】
【０００５】
【特許文献１】特開２００９−２５３６０３号公報
【発明の概要】
【発明が解決しようとする課題】
【０００６】
そこで、発明が解決しようとする課題は、携帯電話機に記憶されている電話帳データを、高い頻度で、自動的に取得することができるとともに、当該電話帳データの取得処理を、携帯電話機の機種がマルチ接続可能機種であるか又はシングル接続機種であるかに応じて、ハンズフリー接続をできるだけ維持しつつ、実行できる車載ハンズフリー通話装置を提供することにある。
【課題を解決するための手段】
【０００７】
本発明に係る、携帯電話機から電話帳データを取得する機能を備えた車載ハンズフリー通話装置の特徴構成は、車両の電源がオンになったことに起因して、ハンズフリー通話を行うためのハンズフリー通信プロトコルを用いて前記携帯電話機と接続するハンズフリー接続処理を実行するハンズフリー接続部と、前記ハンズフリー接続処理の完了後に、前記電話帳データの転送を行うための電話帳データ転送プロトコルを用いて前記携帯電話機と接続して前記電話帳データを取得する電話帳データ接続取得処理を実行する電話帳データ接続取得処理部と、前記ハンズフリー通信プロトコルを用いた接続中に前記電話帳データ転送プロトコルを用いた接続に失敗した場合に、前記ハンズフリー通信プロトコルを用いた接続を切断してから前記電話帳データ接続取得処理を再度実行する再取得処理部と、前記再取得処理部が前記電話帳データ接続取得処理における前記電話帳データ転送プロトコルを用いた接続処理を実施した後に、前記ハンズフリー接続処理を再度実行するハンズフリー接続復帰部と、前記車両の電源がオンになったときまでの電源オフ期間が予め定めた設定期間以下であったか否かを判定する電源オフ期間判定部と、を備え、前記電話帳データ接続取得処理部は、前記電源オフ期間が前記設定期間以下であった場合に、前記ハンズフリー接続処理の完了後の前記電話帳データ接続取得処理の実行を取り止める点にある。
【０００８】
上記の特徴構成によれば、車両の電源がオンになった後、ユーザが車載ハンズフリー通話装置又は携帯電話機を操作することなく自動的に、携帯電話機の電話帳データを、車載ハンズフリー通話装置に転送させることができる。よって、携帯電話機に記憶されていた最新の電話帳データを用いて、ハンズフリー機能を利用することができ、ユーザの利便性が向上する。
また、仮に、ハンズフリー接続処理と電話帳データ接続取得処理とを同時に実行した場合には、同時処理により処理負荷がかかるとともに処理方法が複雑になる。よって、この同時処理の場合は、ハンズフリー接続処理の完了が遅延する場合が考えられる。一方、上記の特徴構成によれば、車両の電源がオンになった後、まずハンズフリー接続処理が実行されるので、早期にハンズフリー待ち受け状態とし、ハンズフリー機能による発信又は着信処理、及び通話を行える状態とすることができる。例えば、車両の電源がオンになった後、直ちに車両の走行が開始した場合においても、車両の電源がオンになった後、直ちにハンズフリー機能が利用可能となるので、ハンズフリー機能を用いた安全な運転ができる。一方、電話帳データの転送にはそのデータ量に比例した処理時間がかかるが、ハンズフリー接続処理は既に完了しているため、処理時間を気にすることなく当該転送処理を実施することができる。
【０００９】
更に、携帯電話機が、ハンズフリー通信プロトコルを用いた接続中に、同時に電話帳データ転送プロトコルを用いて接続できないシングル接続機種であっても、上記の特徴構成によれば、ハンズフリー通信プロトコルを用いた接続を切断してから、電話帳データ転送プロトコルを用いた接続を行って電話帳データ取得処理を行うように構成しているので、車両の電源オン後に自動的に電話帳データを取得することができる。
また、上記の特徴構成によれば、携帯電話機がシングル接続機種であっても、ハンズフリー接続を切断して電話帳データ転送プロトコルを用いた接続処理を実施した後に、自動的にハンズフリー接続を回復することができる。
【００１０】
車両の電源オフ期間が短い場合は、その間に、携帯電話機の電話帳データが大きく変更される可能性は低く、車両の電源がオンになった後、電話帳データを転送する必要性は低い。よって、上記の特徴構成によれば、無駄な電話帳データ接続取得処理の実行を取り止めることで、電話帳データの転送中に、携帯電話機及び車載ハンズフリー通話装置の処理負荷が大きくなることを抑制できるとともに、電話帳データの転送が完了するまでの待ち時間が生じることを抑制できる。特に、電話帳データのデータ量が大きい場合には電話帳データの転送時間が長くなるため、上記の取り止めによる効果は大きくなる。
また、アイドルストップなどのために、頻繁に、短い期間、車両の電源がオフされるような場合にも、電話帳データ接続取得処理の実行を取り止めることで、無駄な処理が頻繁に行われることを抑制できる。
【００１１】
ここで、前記ハンズフリー接続復帰部は、前記電話帳データ転送プロトコルを用いた接続が完了した後であって、前記電話帳データの取得処理を開始する前に、前記ハンズフリー接続処理を再度実行し、前記ハンズフリー接続が完了した場合には、前記電話帳データの取得処理を開始し、前記電話帳データの取得処理の完了後に、前記電話帳データ転送プロトコルを用いた接続を切断し、前記ハンズフリー接続が失敗した場合には、前記電話帳データの取得処理を開始し、前記電話帳データの取得処理の完了後に、前記電話帳データ転送プロトコルを用いた接続を切断して前記ハンズフリー接続処理を再度実行すると好適である。
【００１２】
ここで、前記ハンズフリー接続復帰部は、前記再取得処理部による前記電話帳データ接続取得処理の完了後に、前記電話帳データ転送プロトコルを用いた接続を切断して前記ハンズフリー接続処理を再度実行する構成とすると好適である。
【００１３】
この構成によれば、携帯電話機がシングル接続機種であっても、ハンズフリー接続を切断して電話帳データ接続取得処理を完了した後に、自動的に電話帳データ転送プロトコルを用いた接続を切断してハンズフリー接続を回復することができる。
【００１４】
ここで、車載ハンズフリー通話装置は、前記ハンズフリー接続処理の完了後に、当該接続した携帯電話機から電話帳データを過去に取得したことがあるか否かを判定する取得履歴判定部と、過去に電話帳データを取得したことがある携帯電話機に接続した場合に、当該携帯電話機に対する前記電話帳データ接続取得処理を実行するか否かをユーザにとって選択可能な状態とすると共に当該選択をユーザに促す報知を行う問合せ処理を実行する問合せ処理部と、を更に備え、前記電話帳データ接続取得処理部は、前記問合せ処理における選択結果に従って前記電話帳データ接続取得処理の実行又は実行取り止めを選択する構成とすると好適である。
【００１５】
この構成によれば、電話帳データを過去に取得したことがない携帯電話機に接続した場合には、自動的に電話帳データを取得することができるので、ハンズフリー接続をした携帯電話機の電話帳データが取得できていない状態が生じることを抑制できる。よって、新たな携帯電話機でも電話帳データを用いてハンズフリー機能を利用することができ、ユーザの利便性が向上する。
また、電話帳データを過去に取得したことがある携帯電話機に接続した場合には、ユーザに電話帳データ接続取得処理の実行又は実行取り止めを選択させるので、ユーザの選択に応じて無駄な電話帳データ接続取得処理が実行されることを抑制できる。なお、車両の電源オン後、自動的に、問合せ処理が実行されるので、ユーザの利便性も確保される。
過去の取得履歴の判定は、ハンズフリー接続処理の完了後に行われるので、ハンズフリー接続処理を優先して行うことができるとともに、ハンズフリー接続により得られた携帯電話機の情報を有効利用して、取得履歴を判定することができる。
【００１６】
ここで、車載ハンズフリー通話装置は、前記再取得処理部により前記ハンズフリー通信プロトコルを用いた接続を切断してから、前記ハンズフリー接続復帰部による再度の前記ハンズフリー接続処理が完了するまでの間、前記電話帳データの取得のためにハンズフリー通話を行うための接続を切断中である旨をユーザに報知する切断報知部を更に備える構成とすると好適である。
【００１７】
この構成によれば、電話帳データの取得処理のために、一時的にハンズフリー接続を切断中であることをユーザに報知することができる。よって、電話帳データの取得処理が行われている間、ハンズフリー機能が利用できないことをユーザに知らせることができる。
【００１８】
ここで、前記電話帳データは、電話番号データ及び通話履歴データの一方又は双方を含み、車載ハンズフリー通話装置は、前記電話帳データ接続取得処理に際しての前記電話番号データの取得の可否及び前記通話履歴データの取得の可否の一方又は双方をユーザにとって選択可能とすると共に当該選択設定を記憶させる取得設定部を更に備え、前記電話帳データ接続取得処理部は、前記取得設定部により記憶された選択設定に従って前記電話帳データ接続取得処理を実行する構成とすると好適である。
【００１９】
この構成によれば、ユーザが電話番号データの取得の可否又は通話履歴データの取得の可否を選択した設定を記憶させているので、ユーザの選択結果に従って、電話番号データ又は通話履歴データの取得を行うことができる。これにより、ユーザによる携帯電話機の使用状況に応じた適切な電話帳データ取得処理の実行が可能となる。例えば、電話番号データの更新頻度が低いユーザは、電話番号データの取得を行わない設定とすることにより、データ転送量を少なくすることができる。この構成でも、車両の電源オン後、自動的に、取得すると選択されている電話番号データ又は通話履歴データの取得処理が実行されるので、ユーザの利便性が向上する。
【００２０】
以上の各構成を備えた本発明に係る車載ハンズフリー通話装置の技術的特徴は、電話帳データ取得プログラムや電話帳データ取得方法にも適用可能であり、そのため、本発明は、そのようなプログラムや方法も権利の対象とすることができる。
【００２１】
その場合における、携帯電話機から電話帳データを取得する処理を車載ハンズフリー通話装置が備えるコンピュータに実行させるための電話帳データ取得プログラムの特徴構成は、車両の電源がオンになったことに起因して、ハンズフリー通話を行うためのハンズフリー通信プロトコルを用いて前記携帯電話機と接続するハンズフリー接続処理を実行するハンズフリー接続ステップと、前記ハンズフリー接続ステップの完了後に、前記電話帳データの転送を行うための電話帳データ転送プロトコルを用いて前記携帯電話機と接続して前記電話帳データを取得する電話帳データ接続取得処理を実行する電話帳データ接続取得ステップと、前記ハンズフリー通信プロトコルを用いた接続中に前記電話帳データ転送プロトコルを用いた接続に失敗した場合に、前記ハンズフリー通信プロトコルを用いた接続を切断してから前記電話帳データ接続取得処理を再度実行する再取得処理ステップと、前記再取得処理ステップが前記電話帳データ接続取得処理における前記電話帳データ転送プロトコルを用いた接続処理を実施した後に、前記ハンズフリー接続処理を再度実行するハンズフリー接続復帰ステップと、前記車両の電源がオンになったときまでの電源オフ期間が予め定めた設定期間以下であったか否かを判定する電源オフ期間判定ステップと、を前記コンピュータに実行させ、前記電話帳データ接続取得ステップでは、前記電源オフ期間が前記設定期間以下であった場合に、前記ハンズフリー接続処理の完了後の前記電話帳データ接続取得処理の実行を取り止める点にある。
【００２２】
当然ながら、この電話帳データ取得プログラムも上述した車載ハンズフリー通話装置に係る作用効果を得ることができ、更に、その好適な構成の例として挙げたいくつかの付加的技術を組み込むことが可能である。
【図面の簡単な説明】
【００２３】
【図１】本発明の第一の実施形態に係る車載ハンズフリー通話装置の構成を示すブロック図である。
【図２】本発明の第一の実施形態に係る車載ハンズフリー通話装置の処理を示すフローチャートである。
【図３】本発明の第一の実施形態に係る車載ハンズフリー通話装置の処理を示すシーケンス図である。
【図４】本発明の第二の実施形態に係る車載ハンズフリー通話装置の処理を示すフローチャートである。
【図５】本発明の第三の実施形態に係る車載ハンズフリー通話装置の処理を示すフローチャートである。
【図６】本発明の第五の実施形態に係る車載ハンズフリー通話装置の処理を示すフローチャートである。
【図７】本発明の第五の実施形態に係る車載ハンズフリー通話装置の処理を示すシーケンス図である。
【発明を実施するための形態】
【００２４】
１．第一の実施形態
本発明の第一の実施形態について図面に基づいて説明する。図１は、本実施形態に係る携帯電話機２から電話帳データ３を取得する機能を備えた車載ハンズフリー通話装置１の構成を模式的に示すブロック図である。車載ハンズフリー通話装置１は、車両のアクセサリ電源スイッチ４に接続されている電源回路５と、マイク２１及びスピーカ２２を有して構成されてハンズフリー通話の音声を入出力する通話音声入出力部６と、各種の通信プロトコルを用いて携帯電話機２と無線通信を行う無線通信部７と、電話帳データ３等を記憶するデータ記憶部８と、表示装置２３及び操作入力装置２４を有して構成されるユーザインターフェース部９と、各機器を統合的に制御して、ハンズフリー通話を行う処理及び電話帳データを取得する処理等を実行する制御装置１０と、を備えている。制御装置１０は、ハンズフリー接続部３１と、電話帳データ接続取得処理部３２と、再取得処理部３３と、ハンズフリー接続復帰部３４と、切断報知部３５と、を備えている。このような構成において、本実施形態に係る制御装置１０は、ハンズフリー通話を行うためのハンズフリー通信プロトコルを用いて携帯電話機２と接続するハンズフリー接続処理、及び電話帳データ３の転送を行うための電話帳データ転送プロトコルを用いて携帯電話機２と接続して電話帳データ３を取得する電話帳データ接続取得処理の実行手順及び実行方法に特徴を有している。なお、本実施形態では、車両のアクセサリ電源スイッチ４が本発明における「車両の電源」に相当する。
【００２５】
１−１．車載ハンズフリー通話装置の構成
制御装置１０は、演算処理装置であり、ＣＰＵ、ＲＯＭ、ＲＡＭ、入出力インターフェース、これらを接続するバスなどを備えて構成される。制御装置１０は、各機能部の処理に対応するステップを備える電話帳データ取得プログラムを実行することにより、各機器を統合的に制御して、車載ハンズフリー通話装置１の通信動作や電話帳データ３の取得動作などの動作全般を制御する。
【００２６】
無線通信部７は、近距離無線通信を行う無線通信機器である。本実施形態では、無線通信規格としてブルートゥース（Ｂｌｕｅｔｏｏｔｈ、登録商標）に対応した近距離無線通信を行う。無線通信部７は、ハンズフリー通信を行うためのハンズフリー通信プロトコルとして、無線通信規格で定められているハンズフリープロファイル（以下、ＨＦＰ（Hands Free Profile）と称する）、及び電話帳データ３の転送を行うための電話帳データ転送プロトコルとして、無線通信規格で定められているフォンブックアクセスプロファイル（以下、ＰＢＡＰ（Phone Book Access Profile）と称する）などのプロファイルを用いて携帯電話機２と接続し通信する。なお、これらプロファイルは、機能毎に定義された通信プロトコルを意味している。また、無線通信部７は、マルチプロファイル接続可能に構成されており、ＨＦＰ及びＰＢＡＰの双方を用いて同時に携帯電話機２と接続することができる。
【００２７】
ここで、ＰＢＡＰは、当該ＰＢＡＰを用いた接続が行われた後、ユーザが携帯電話機２を何ら操作することなく自動的に、携帯電話機２から車載ハンズフリー通話装置１に全件の電話帳データ３を転送させることが可能なプロファイルである。
【００２８】
データ記憶部８は、電話帳データ３などの各種データを記憶可能に構成されている。電話帳データ３には、電話番号データ及び通話履歴データの一方又は双方が含まれる。電話番号データは、電話番号と登録名とを少なくとも有しており、住所、E-mailアドレス、コメントなどのデータも含まれるようにしてもよい。通話履歴データは、発信時刻と発信電話番号との対応を表す発信履歴データ、応答した着信に係る着信時刻と着信電話番号との対応を表す着信履歴データ、又は応答しなかった着信に係る着信時刻と着信電話番号との対応を表す不在着信履歴データなどを有して構成される。また、データ記憶部８は、携帯電話機２の識別情報とともに電話帳データ３を記憶可能に構成されており、複数の識別情報の電話帳データ３を記憶可能に構成されている。
【００２９】
通話音声入出力部６は、マイク２１とスピーカ２２を有して構成される。マイク２１は、例えばハンドルの近傍などのユーザが発した音声を集音し易い場所に配置されており、ユーザ音声を電気信号に変換し、車載ハンズフリー通話装置１に出力する。車載ハンズフリー通話装置１は、携帯電話機２とＨＦＰを用いた接続がされている場合に、マイク２１から入力されたユーザ音声の信号を、無線通信部７に出力する。そして、無線通信部７は、ＨＦＰを用いた無線通信接続によりユーザ音声の信号を携帯電話機２に伝送する。携帯電話機２は、携帯電話網を構成する無線通信を介して通話先にユーザ音声の信号を伝送する。
一方、携帯電話機２は、車載ハンズフリー通話装置１とＨＦＰを用いた接続がされている場合に、携帯電話網を構成する無線通信を介して通話先から通話先音声の信号が伝送されると、ＨＦＰを用いた無線通信接続により通話先音声の信号を無線通信部７に伝送する。そして、車載ハンズフリー通話装置１は、無線通信部７に伝送された通話先音声の信号をスピーカ２２に出力する。スピーカ２２は、ユーザが通話音声を聞き取れるように、通話音声を車室内に出力する。
【００３０】
ユーザインターフェース部９は、表示装置２３と、操作入力装置２４から構成される。表示装置２３は、車載ハンズフリー通話装置１が備える各機能のメニュー表示画面などの表示画面をユーザに表示する装置であり、例えばカラー液晶ディスプレイから構成される。操作入力装置２４は、ユーザが車載ハンズフリー通話装置１を操作する操作入力を受け付ける装置であり、リモコンスイッチや、表示装置２３の周辺又は運転席の周辺に配置されたメカニカルスイッチや、表示装置２３のディスプレイ上に形成されたタッチスイッチなどから構成される。なお、車載ハンズフリー通話装置１に音声認識機能を備え、ユーザの音声を操作入力として受け付けることにより、マイク２１を操作入力装置２４として機能するようにしてもよい。
【００３１】
本実施形態に係る携帯電話機２は、近距離無線通信機能を有する携帯電話機２であり、ハンズフリー通信を行うためのＨＦＰ及び電話帳データ３の転送を行うためのＰＢＡＰに対応している。携帯電話機２は、ＨＦＰ及びＰＢＡＰの双方を用いて同時に車載ハンズフリー通話装置１と接続できる機種（マルチプロファイル接続可能機種）と、同時にＨＦＰ又はＰＢＡＰの何れか一方だけを用いて車載ハンズフリー通話装置１と接続できる機種（シングルプロファイル接続機種）とがある。また、携帯電話機２は、電話帳データ３を携帯電話機２の記憶部に記憶しており、ＰＢＡＰを用いた接続により、当該電話帳データ３を車載ハンズフリー通話装置１に転送可能に構成されている。
【００３２】
１−２．制御装置の構成
以下、本実施形態に係る車載ハンズフリー通話装置１が備える制御装置１０について、詳細に説明する。
制御装置１０は、ハンズフリー接続部３１と、電話帳データ接続取得処理部３２と、再取得処理部３３と、ハンズフリー接続復帰部３４と、切断報知部３５と、を備えている。以下、制御装置１０が備える機能部３１〜３５について詳細に説明する。
【００３３】
ハンズフリー接続部３１は、上記のように、車両のアクセサリ電源スイッチ４がオンになったことに起因して、ハンズフリー通話を行うためのＨＦＰを用いて携帯電話機２と接続するハンズフリー接続処理を実行する機能部である。本実施形態では、ハンズフリー接続部３１は、車両のアクセサリ電源スイッチ４がオフからオンになって、バッテリー電圧Ｖｂが電源回路５に供給されて制御装置１０が起動した場合、車両のアクセサリ電源スイッチ４がオンになったと判定する。そして、ハンズフリー接続部３１は、車両のアクセサリ電源スイッチ４がオンになったと判定した場合、車載ハンズフリー通話装置１の近距離無線通信圏内に存在している携帯電話機２との間で、ＨＦＰを用いて無線通信部７により接続させるハンズフリー接続処理を実行する。ハンズフリー接続部３１は、携帯電話機２との間でＨＦＰを用いたハンズフリー接続処理が完了すると、ハンズフリー接続部３１の処理を終了する。なお、ハンズフリー接続部３１は、ＨＦＰを用いたハンズフリー接続処理が完了すると、接続した携帯電話機２の識別情報を取得する。
【００３４】
電話帳データ接続取得処理部３２は、ハンズフリー接続処理の完了後に、電話帳データ３の転送を行うためのＰＢＡＰを用いて携帯電話機２と接続して電話帳データ３を取得する電話帳データ接続取得処理を実行する機能部である。より具体的には、ハンズフリー接続部３１がＨＦＰを用いたハンズフリー接続処理を完了したか否かを判定する。そして、ハンズフリー接続処理が完了した後に、電話帳データ接続取得処理部３２は、ＨＦＰを用いた接続を行っている携帯電話機２との間で、ＰＢＡＰを用いて無線通信部７により接続させる接続処理を実行する。電話帳データ接続取得処理部３２は、ＨＦＰを用いた接続中にＰＢＡＰを用いた接続処理が完了した場合、携帯電話機２から電話帳データ３を転送して取得する電話帳データ取得処理を実行する。この場合は、ＨＦＰを用いた接続を行っている携帯電話機２が、マルチプロファイル接続可能機種であり、ＨＦＰを用いた接続中に、同時にＰＢＡＰを用いた接続もできる場合である。本実施形態では、電話帳データ取得処理に際して、電話帳データ接続取得処理部３２は、携帯電話機２に、電話番号データ及び通話履歴データの電話帳データ３の転送を要求する。電話帳データ接続取得処理部３２は、ＰＢＡＰを用いて携帯電話機２から転送されてくる電話帳データ３を、携帯電話機２の識別情報と共にデータ記憶部８に記憶する。電話帳データ接続取得処理部３２は、携帯電話機２から電話帳データ３の転送が終了して電話帳データ取得処理が完了した後、ＰＢＡＰを用いた接続を切断して、電話帳データ３の取得処理を終了する。なお、電話帳データ接続取得処理部３２が携帯電話機２に転送を要求する電話帳データ３は、電話番号データ及び通話履歴データの何れか一方でもよい。
【００３５】
一方、電話帳データ接続取得処理部３２は、ＨＦＰを用いた接続中にＰＢＡＰを用いた接続に失敗した場合、電話帳データ接続取得処理部３２の処理を終了する。この場合は、ＨＦＰを用いた接続を行っている携帯電話機２が、シングルプロファイル接続機種であり、ＨＦＰを用いた接続中に、同時にＰＢＡＰを用いた接続を行うことができない場合である。本例では、電話帳データ接続取得処理部３２は、ＰＢＡＰを用いた接続処理を開始してから所定時間（例えば１０秒）経過しても、ＰＢＡＰを用いた接続を完了できない場合は、ＰＢＡＰを用いた接続に失敗したと判定して、電話帳データ接続取得処理部３２におけるＰＢＡＰを用いた接続処理を終了するとともに電話帳データの取得処理の実行を取り止める。なお、携帯電話機２が、車載ハンズフリー通話装置１からのＰＢＡＰを用いた接続要求を受け入れた場合に、ＰＢＡＰを用いた接続処理が完了し、携帯電話機２が、当該接続要求を受け入れない場合には、ＰＢＡＰを用いた接続処理が完了しない。
【００３６】
再取得処理部３３は、ＨＦＰを用いた接続中にＰＢＡＰを用いた接続に失敗した場合に、ＨＦＰを用いた接続を切断してから電話帳データ接続取得処理を再度実行する処理を行う機能部である。より具体的には、再取得処理部３３は、電話帳データ接続取得処理部３２がＨＦＰを用いた接続中にＰＢＡＰを用いた接続に失敗したと判定した場合に、ＨＦＰを用いた接続を切断する処理を実行する。そして、再取得処理部３３は、ＨＦＰを用いた接続の切断完了後に、当該切断を行った携帯電話機２との間で、ＰＢＡＰを用いて無線通信部７により接続させる接続処理を実行する。この際、ＨＦＰを用いた接続を切断した携帯電話機２の識別情報と、同じ識別情報を持つ携帯電話機２との間で、ＰＢＡＰを用いた接続処理を行う。再取得処理部３３は、ＰＢＡＰを用いた接続処理が完了した後に、電話帳データ３を取得する電話帳データ取得処理を再度実行する。そして、再取得処理部３３は、携帯電話機２から電話帳データ３の転送が終了して電話帳データ取得処理が完了した後、再取得処理部３３の処理を終了する。
【００３７】
ハンズフリー接続復帰部３４は、再取得処理部３３が電話帳データ接続取得処理における電話帳データ転送プロトコルを用いた接続処理を実施した後に、ハンズフリー接続処理を再度実行する処理を行う機能部である。本実施形態では、ハンズフリー接続復帰部３４は、再取得処理部３３による電話帳データ接続取得処理の完了後に、ＰＢＡＰを用いた接続を切断してハンズフリー接続処理を再度実行する処理を行う。より具体的には、ハンズフリー接続復帰部３４は、再取得処理部３３による処理が実行された場合にのみ動作し、再取得処理部３３による電話帳データ接続取得処理の完了後に、ＰＢＡＰを用いた接続を行っている携帯電話機２との間のＰＢＡＰを用いた接続を切断する。そして、ハンズフリー接続復帰部３４は、ＰＢＡＰを用いた接続の切断完了後に、当該切断を行った携帯電話機２と同じ識別情報を持つ携帯電話機２との間で、ＨＦＰを用いて無線通信部７により接続させるハンズフリー接続処理を再度実行する。ハンズフリー接続復帰部３４は、再度のＨＦＰを用いたハンズフリー接続処理が完了した後に、ハンズフリー接続復帰部３４の処理を終了する。
【００３８】
切断報知部３５は、再取得処理部３３がＨＦＰを用いたハンズフリー接続を切断してから、ハンズフリー接続復帰部３４が再度のＨＦＰを用いたハンズフリー接続処理を完了するまでの間、電話帳データ３の取得のためにハンズフリー通話を行うための接続を切断中である旨をユーザに報知する処理を行う機能部である。より具体的には、切断報知部３５は、再取得処理部３３がＨＦＰを用いたハンズフリー接続の切断を完了した後に、電話帳データ３の取得のためにハンズフリー通話を行うための接続を切断中である旨の案内を表示装置２３に表示して、ユーザへの報知を開始する。そして、切断報知部３５は、ハンズフリー接続復帰部３４がＨＦＰを用いたハンズフリー接続処理を完了した後に、前記したユーザへの報知を終了する。このような案内としては、例えば「電話帳データ転送中」等のような理由とともに、例えば「ハンズフリー通話使用不可」等のような状態を報知するものや、単にハンズフリー通話のための接続を切断中である状態のみを報知するもの等とすることができる。なお、切断報知部３５は、電話帳データ３の取得のためにハンズフリー通話を行うための接続を切断中である旨の案内をスピーカ２２から音声出力させるようにしてもよい。この場合、例えば、切断報知部３５は、切断開始時に、電話帳データの取得のためにハンズフリー通話を行うための接続を切断した旨の案内音声を出力させ、切断終了時に、ハンズフリー通話を行うための接続を再び接続した旨の案内音声を出力させる。
【００３９】
次に、本実施形態に係る制御装置１０の処理について、図２に示すフローチャートを参照して説明する。まず、ハンズフリー接続部３１は、車両のアクセサリ電源スイッチ４がオンになったか判定する（ステップ♯０１）。車両のアクセサリ電源スイッチ４がオンになったと判定した場合には（ステップ＃０１：Ｙｅｓ）、一連の電話帳データ３の取得処理を開始する。すなわち、ハンズフリー接続部３１は、携帯電話機２との間で、ＨＦＰを用いて無線通信部７により接続させるハンズフリー接続処理を実行する（ステップ♯０２）。
【００４０】
電話帳データ接続取得処理部３２は、ＨＦＰを用いたハンズフリー接続処理の完了後に、ＨＦＰを用いた接続を行っている携帯電話機２との間で、ＰＢＡＰを用いて無線通信部７により接続させる接続処理を実行する（ステップ♯０３）。電話帳データ接続取得処理部３２は、ＰＢＡＰを用いた接続を完了できた場合は（ステップ♯０４：Ｎｏ）、ＰＢＡＰを用いて携帯電話機２から電話帳データ３を取得する電話帳データ取得処理を実行する（ステップ♯０５）。そして、電話帳データ接続取得処理部３２は、電話帳データ取得処理が完了した後に、ＰＢＡＰを用いた接続を切断して(ステップ♯０６)、一連の電話帳データ３の取得処理を終了する。
【００４１】
一方、電話帳データ接続取得処理部３２がＰＢＡＰを用いた接続に失敗したと判定した場合には（ステップ＃０４：Ｙｅｓ）、再取得処理部３３は、ＨＦＰを用いた接続を切断する処理を実行する（ステップ♯０７）。切断報知部３５は、ＨＦＰを用いた接続の切断完了後に、電話帳データ３の取得のためにハンズフリー通話を行うための接続を切断中である旨の報知を開始する（ステップ♯０８）。続いて、再取得処理部３３は、ＨＦＰを用いた接続の切断を行った携帯電話機２との間で、ＰＢＡＰを用いて無線通信部７により接続させる接続処理を実行する（ステップ♯０９）。そして、再取得処理部３３は、ＰＢＡＰを用いた接続完了後に電話帳データ３を取得する電話帳データ取得処理を再度実行する（ステップ♯１０）。
【００４２】
そして、ハンズフリー接続復帰部３４は、再取得処理部３３による電話帳データ取得処理の完了後に、ＰＢＡＰを用いた接続を切断して(ステップ♯１１)、ハンズフリー接続処理を再度実行する(ステップ♯１２)。再取得処理部３３は、ＨＦＰを用いた接続完了後に、上記ステップ♯０８で開始した報知を終了して（ステップ♯１３）、一連の電話帳データ３の取得処理を終了する。
【００４３】
次に、本実施形態に係る制御装置１０の処理について、図３に示すシーケンス図の例に基づき説明する。なお、図３の縦軸は時間の経過を示す。図３に示すシーケンス図は、携帯電話機２が、シングルプロファイル接続機種である事例における処理を示している。
【００４４】
まず、車載ハンズフリー通話装置１のハンズフリー接続部３１が、車両のアクセサリ電源スイッチ４がオンになったと判定し（ステップ♯１０１）、一連の電話帳データ３の取得処理を開始する。そして、ハンズフリー接続部３１は、携帯電話機２にＨＦＰを用いた接続を要求し（ステップ♯１０２）、携帯電話機２が、ＨＦＰを用いた接続を受け入れると（ステップ♯１０３）、ＨＦＰを用いた接続が完了する（ステップ♯１０４）。そして、電話帳データ接続取得処理部３２が、携帯電話機２にＰＢＡＰを用いた接続を要求する（ステップ♯１０５）。しかし、上記のように、本事例では、携帯電話機２が、シングルプロファイル接続機種であるため、ＰＢＡＰを用いた接続を受け入れないので、ＰＢＡＰを用いた接続が失敗する（ステップ♯１０６）。
ＰＢＡＰを用いた接続が失敗すると、上記したように、再取得処理部３３は、携帯電話機２にＨＦＰを用いた接続の切断を要求し（ステップ♯１０７）、携帯電話機２が、ＨＦＰを用いた接続の切断を受け入れると、ＨＦＰを用いた接続の切断が完了する（ステップ♯１０８）。そして、ＨＦＰを用いた接続の切断が完了すると、再取得処理部３３は、携帯電話機２にＰＢＡＰを用いた接続を要求し（ステップ♯１０９）、携帯電話機２が、ＰＢＡＰを用いた接続を受け入れると（ステップ♯１１０）、ＰＢＡＰを用いた接続が完了する（ステップ♯１１１）。そして、再取得処理部３３は、ＰＢＡＰを用いて携帯電話機２から電話帳データ３を取得する電話帳データ取得処理を開始する。
【００４５】
電話帳データ取得処理が完了すると（ステップ♯１１２）、ハンズフリー接続復帰部３４は、携帯電話機２にＰＢＡＰを用いた接続の切断を要求し（ステップ♯１１３）、携帯電話機２が、ＰＢＡＰを用いた接続の切断を受け入れると、ＰＢＡＰを用いた接続の切断が完了する（ステップ♯１１４）。そして、ＰＢＡＰを用いた接続の切断が完了すると、ハンズフリー接続復帰部３４は、携帯電話機２にＨＦＰを用いた接続を要求し（ステップ♯１１５）、携帯電話機２が、ＨＦＰを用いた接続を受け入れると（ステップ♯１１６）、ＨＦＰを用いた接続が完了する（ステップ♯１１７）。そして、制御装置１０は、一連の電話帳データ３の取得処理を終了する。
【００４６】
２．第二の実施形態
次に、本発明の第二の実施形態について説明する。上記の第一の実施形態では、車両のアクセサリ電源スイッチ４のオン後にハンズフリー接続復帰部３４によるハンズフリー接続処理が完了した後に、特に条件を設けずに、電話帳データ接続取得処理部３２が電話帳データ接続取得処理を実行していた。しかし、本実施形態では、制御装置１０は、更に、車両のアクセサリ電源スイッチ４がオンになったときまでの電源オフ期間が予め定めた設定期間以下であったか否かを判定する電源オフ期間判定部を備え、電源オフ期間が設定期間以下であった場合に、電話帳データ接続取得処理部３２が、ハンズフリー接続処理の完了後の電話帳データ接続取得処理の実行を取り止める点が相違する。車載ハンズフリー通話装置１の構成は、制御装置１０内に電源オフ期間判定部を更に備える点で第一の実施形態と相違するが、他は図１と同じであるので図示は省略する。以下では、本実施形態に係る制御装置１０について、上記第一の実施形態との相違点を中心として説明する。なお、特に説明しない点については、上記第一の実施形態と同様とする。
【００４７】
電源オフ期間判定部は、車両のアクセサリ電源スイッチ４がオンになったときまでの電源がオフであった期間である電源オフ期間が予め定めた設定期間以下であったか否かを判定する処理を行う機能部である。より具体的には、制御装置１０は、車両のアクセサリ電源スイッチ４がオフになっている間もバックアップ電源により動作するタイマー機能を有しており、電源オフ期間判定部は、車両のアクセサリ電源スイッチ４がオンになった後、このタイマー機能により計測した時間に基づき、電源オフ期間を算出する。そして、電源オフ期間判定部は、算出した電源オフ期間が予め定めた設定期間以下であったか否かを判定する。この設定期間は、例えば、ユーザがアイドルストップのために車両のアクセサリ電源スイッチ４をオフにする期間に対応するように、３０秒から１０分の間で設定される期間とすることができる。なお、この設定期間は固定された期間としてもよいが、ユーザが、設定メニューなどから変更できるように構成してもよい。
【００４８】
電話帳データ接続取得処理部３２は、電源オフ期間判定部により電源オフ期間が予め定めた設定期間以下であったと判定された場合には、第一の実施形態で説明した、一連の電話帳データ３の取得処理の実行を取り止める。一方、電話帳データ接続取得処理部３２は、電源オフ期間が予め定めた設定期間より大きかったと判定された場合には、第一の実施形態と同様の電話帳データ３の取得処理を実行する。
【００４９】
車両の電源オフ期間が短い場合は、その間に、携帯電話機２の電話帳データが大きく変更される可能性は低く、車両のアクセサリ電源スイッチ４がオンになった後、電話帳データ３を転送する必要性は低い。よって、本実施形態によれば、無駄な電話帳データ接続取得処理の実行を取り止めることで、電話帳データ３の転送中に、携帯電話機２及び車載ハンズフリー通話装置１の処理負荷が大きくなることを抑制できるとともに、電話帳データ３の転送が完了するまでの待ち時間が生じることを防止できる。特に、電話帳データ３の件数が多いなどデータ量が大きい場合には電話帳データの転送時間が長くなるため、上記の取り止めによる効果は大きくなる。また、アイドルストップなどのために、頻繁に、短い期間、車両のアクセサリ電源スイッチ４がオフされるような場合にも、電話帳データ接続取得処理の実行を取り止めることで、無駄な処理が頻繁に行われることを抑制できる。
【００５０】
次に、本実施形態に係る制御装置１０の処理について、図４に示すフローチャートを参照して説明する。本実施形態に係る制御装置１０は、以下で説明する点を除き、図２を用いて説明した第一の実施形態と同様である。具体的には、車両のアクセサリ電源スイッチ４のオン後（ステップ♯０１）にハンズフリー接続復帰部３４によるハンズフリー接続処理が完了した後（ステップ♯０２）に、電源オフ期間判定部が、車両のアクセサリ電源スイッチ４がオンになったときまでの電源オフ期間を算出し、当該電源オフ期間が予め定めた設定期間以下であったか判定する（ステップ♯４１）。電源オフ期間が予め定めた設定期間以下であったと判定された場合には（ステップ＃４１：Ｙｅｓ）、電話帳データ接続取得処理部３２は、一連の電話帳データ３の取得処理の実行を取り止める。一方、電源オフ期間が予め定めた設定期間より大きかったと判定された場合には（ステップ♯４１：Ｎｏ）、電話帳データ接続取得処理部３２は、第一の実施形態と同様の電話帳データ３の取得処理を実行する（ステップ♯０３以降）。
【００５１】
３．第三の実施形態
次に、本発明の第三の実施形態について説明する。上記の第一の実施形態では、車両のアクセサリ電源スイッチ４のオン後にハンズフリー接続部３１によるハンズフリー接続処理が完了した後に、電話帳データ接続取得処理部３２が電話帳データ接続取得処理を実行していた。しかし、本実施形態では、制御装置１０は、更に、ハンズフリー接続処理の完了後に、当該接続した携帯電話機２から電話帳データ３を過去に取得したことがあるか否かを判定する取得履歴判定部と、過去に電話帳データ３を取得したことがある携帯電話機２に接続した場合に、当該携帯電話機２に対する電話帳データ接続取得処理を実行するか否かをユーザにとって選択可能な状態とすると共に当該選択をユーザに促す報知を行う問合せ処理を実行する問合せ処理部と、を備えている点が相違する。そして、電話帳データ接続取得処理部３２は、更に、問合せ処理における選択結果に従って電話帳データ接続取得処理の実行又は実行取止めを選択する点が相違する。車載ハンズフリー通話装置１の構成は、制御装置１０内に取得履歴判定部と問合せ処理部とを更に備える点で第一の実施形態と相違するが、他は図１と同じであるので図示は省略する。以下では、本実施形態に係る制御装置１０について、上記第一の実施形態との相違点を中心として説明する。なお、特に説明しない点については、上記第一の実施形態と同様とする。
【００５２】
取得履歴判定部は、ハンズフリー接続部３１によるハンズフリー接続処理の完了後に、当該接続した携帯電話機２から電話帳データ３を過去に取得したことがあるか否かを判定する処理を行う機能部である。具体的には、ハンズフリー接続部３１は、上記したように、携帯電話機２とのハンズフリー接続処理が完了すると、当該接続した携帯電話機２の識別情報を取得する。また、データ記憶部８は、過去に取得した電話帳データ３を、取得した携帯電話機２の識別情報とともに記憶している。取得履歴判定部は、今回接続した携帯電話機２の識別情報に一致する電話帳データ３がデータ記憶部８に記憶されているか検索し、一致する電話帳データ３が記憶されている場合には、ハンズフリー接続した携帯電話機２から電話帳データ３を過去に取得したことがあると判定し、一致する電話帳データ３が記憶されていない場合には、過去に取得したことがないと判定する。
【００５３】
問合せ処理部は、過去に電話帳データ３を取得したことがある携帯電話機２に接続した場合に、当該携帯電話機２に対する電話帳データ接続取得処理を実行するか否かをユーザにとって選択可能な状態とすると共に当該選択をユーザに促す報知を行う問合せ処理を実行する機能部である。具体的には、問合せ処理部は、携帯電話機２に対する電話帳データ接続取得処理を実行するか否かの選択メニュー画面を作成するとともに、当該実行するか否かの選択メニューのいずれかを操作入力装置２４により選択可能な状態とする。そして、問合せ処理部は、選択メニュー画面を表示装置２３に表示するとともに、操作入力装置２４による選択メニューの選択を促す案内を表示装置２３に表示する又はスピーカ２２から音声出力して、選択をユーザに促す報知を行う。
【００５４】
本実施形態よれば、電話帳データ３を過去に取得したことがない携帯電話機２に接続した場合には、自動的に電話帳データを取得することができるので、ハンズフリー接続をした携帯電話機２の電話帳データ３が取得できていない状態が生じることを抑制できる。よって、新たな携帯電話機２でも電話帳データ３を用いてハンズフリー機能を利用することができ、ユーザの利便性が向上する。
また、電話帳データ３を過去に取得したことがある携帯電話機２に接続した場合には、ユーザに電話帳データ接続取得処理の実行又は実行取り止めを選択させるので、ユーザの選択に応じて無駄な電話帳データ接続取得処理が実行されることを抑制できる。なお、車両の電源オン後、自動的に、問合せ処理が実行されるので、ユーザの利便性も確保される。また、過去の取得履歴の判定は、ハンズフリー接続処理の完了後に行われるので、ハンズフリー接続処理を優先して行うことができるとともに、ハンズフリー接続により得られた携帯電話機２の識別情報を有効利用して、取得履歴を判定することができる。
【００５５】
次に、本実施形態に係る制御装置１０の処理について、図５に示すフローチャートを参照して説明する。本実施形態に係る制御装置１０は、以下で説明する点を除き、図２を用いて説明した第一の実施形態と同様である。具体的には、車両のアクセサリ電源スイッチ４のオン後（ステップ♯０１）にハンズフリー接続復帰部３４によるハンズフリー接続処理が完了した後（ステップ♯０２）に、取得履歴判定部が、ハンズフリー接続した携帯電話機２から電話帳データ３を過去に取得したことがあるか否かを判定する（ステップ♯４２）。過去に電話帳データ３を取得したことがある携帯電話機２に接続したと判定した場合には（ステップ♯４２：Ｙｅｓ）、問合せ処理部は、携帯電話機２に対する電話帳データ接続取得処理を実行するか否かをユーザにとって選択可能な状態とすると共に当該選択をユーザに促す報知を行う問合せ処理を実行する（ステップ♯４３）。
【００５６】
問合せ処理において、電話帳データ接続取得処理を実行する選択メニューがユーザにより選択された場合には（ステップ♯４４：Ｙｅｓ）、第一の実施形態と同様の電話帳データ３の取得処理を実行する（ステップ♯３以降）。一方、電話帳データ接続取得処理を実行しない選択メニューがユーザにより選択された場合には（ステップ♯４４：Ｎｏ）、一連の電話帳データ３の取得処理の実行を取り止めて、処理を終了する。
【００５７】
４．第四の実施形態
次に、本発明の第四の実施形態について説明する。上記の第一の実施形態では、電話帳データ接続取得処理部３２は、ステップ♯０５で電話番号データ及び通話履歴データの電話帳データ３を取得する電話帳データ取得処理を実行していた。しかし、本実施形態では、制御装置１０は、更に、電話帳データ取得処理に際しての電話番号データの取得の可否及び通話履歴データの取得の可否の一方又は双方をユーザにとって選択可能とすると共に当該選択設定をデータ記憶部８に記憶する取得設定部を備えている点が相違する。そして、電話帳データ接続取得処理部３２は、取得設定部により記憶された選択設定に従って電話帳データ取得処理を実行する点が相違する。車載ハンズフリー通話装置１の構成は、制御装置１０内に取得設定部を更に備える点で第一の実施形態と相違するが、他は図１と同じであるので図示は省略する。以下では、本実施形態に係る制御装置１０について、上記第一の実施形態との相違点を中心として説明する。なお、特に説明しない点については、上記第一の実施形態と同様とする。
【００５８】
取得設定部は、電話帳データ接続取得処理に際しての電話番号データの取得の可否及び通話履歴データの取得の可否の一方又は双方をユーザにとって選択可能とすると共に当該選択設定をデータ記憶部８に記憶する処理を行う機能部である。取得設定部は、例えば、ユーザによりメニュー表示画面から取得設定処理の実行が選択された場合に、取得設定処理を実行する。このとき、取得設定部は、電話番号データの取得の可否及び通話履歴データの取得の可否の一方又は双方の選択メニュー画面を表示装置２３に表示するとともに、当該選択メニューをユーザが操作入力装置２４を用いて選択可能な状態とする。本実施形態では、電話番号データの取得の可否及び通話履歴データの取得の可否の双方の選択メニュー画面が表示され、電話番号データの取得の可否及び通話履歴データの取得の可否がそれぞれ選択設定可能にされている。そして、取得設定部は、ユーザによって選択された電話番号データの取得の可否又は通話履歴データの取得の可否の設定をデータ記憶部８に記憶する。
【００５９】
そして、電話帳データ接続取得処理部３２は、取得設定部により記憶された選択設定に従って電話帳データ取得処理を実行する。すなわち、電話帳データ接続取得処理部３２は、データ記憶部８に電話番号データの取得を行うと選択設定されている場合には、電話番号データの取得の処理を行い、一方、データ記憶部８に電話番号データの取得を行わないと選択設定されている場合には、電話番号データの取得の処理を行わない。また、データ記憶部８に通話履歴データの取得を行うと選択設定されている場合には、通話履歴データの取得の処理を行い、一方、データ記憶部８に通話履歴データの取得を行わないと選択設定されている場合には、通話履歴データの取得の処理を行わない。また、再取得処理部３３は、上記した電話帳データ接続取得処理部３２と同様に、取得設定部により記憶された選択設定に従って電話帳データ取得処理を実行する。
【００６０】
本実施形態によれば、ユーザが電話番号データの取得の可否又は通話履歴データの取得の可否を選択した設定をデータ記憶部８に記憶させているので、ユーザの選択結果に従って、電話番号データ又は通話履歴データの取得を行うことができる。これにより、ユーザによる携帯電話機２の使用状況に応じた適切な電話帳データ取得処理の実行が可能となる。例えば、電話番号データの更新頻度が低いユーザは、電話番号データの取得を行わない設定とすることにより、データ転送量を少なくすることができる。この構成でも、車両の電源オン後、自動的に、取得すると選択されている電話番号データ又は通話履歴データの取得処理が実行されるので、ユーザの利便性が向上する。
【００６１】
５．第五の実施形態
次に、本発明の第五の実施形態について説明する。上記の第一の実施形態では、ハンズフリー接続復帰部３４は、再取得処理部３３による電話帳データ接続取得処理の完了後、ＰＢＡＰを用いた接続を切断した後に、ハンズフリー接続処理を再度実行していた。しかし、本実施形態では、ハンズフリー接続復帰部３４は、再取得処理部３３がＨＦＰを用いた接続を切断してＰＢＡＰを用いた接続処理を実施した後、ＰＢＡＰを用いた接続中にＨＦＰを用いたハンズフリー接続処理を再度実行する処理を行う点が相違する。以下では、本実施形態に係る制御装置１０について、上記第一の実施形態との相違点を中心として説明する。なお、特に説明しない点については、上記第一の実施形態と同様とする。
【００６２】
携帯電話機２には、上記のようなＨＦＰを用いた接続中に、同時にはＰＢＡＰを用いた接続をできないシングルプロファイル接続機種であっても、ＰＢＡＰを用いた接続中には、同時にＨＦＰを用いた接続をできる条件付きマルチプロファイル接続可能機種がある。
【００６３】
そこで、本実施形態ではハンズフリー接続復帰部３４は、再取得処理部３３がＨＦＰを用いた接続を切断してＰＢＡＰを用いた接続を完了した後に、ＨＦＰを用いたハンズフリー接続処理を再度実行する。具体的には、ハンズフリー接続復帰部３４は、再取得処理部３３がＨＦＰを用いた接続を切断してＰＢＡＰを用いた接続を完了した後に、ＰＢＡＰを用いた接続を行っている携帯電話機２との間で、ＨＦＰを用いて無線通信部７により接続させるハンズフリー接続処理を実行する。再取得処理部３３は、ハンズフリー接続復帰部３４によるＨＦＰを用いた接続完了の可否にかかわらず、電話帳データ取得処理が完了した後に、ＰＢＡＰを用いた接続を切断する。なお、ハンズフリー接続復帰部３４は、ＰＢＡＰを用いた接続中にＨＦＰを用いた接続処理が完了した場合、上記第一の実施形態における電話帳データ取得処理を完了してＰＢＡＰを用いた接続を切断した後に行うハンズフリー接続処理の実行を取り止めて、ハンズフリー接続復帰部３４の処理を終了する。また、ＰＢＡＰを用いた接続中にＨＦＰを用いた接続処理が完了した場合、ＨＦＰを用いた接続の切断期間を短くできる。この場合には、切断報知部３５は、上記第一の実施形態における、電話帳データ３の取得のためにハンズフリー通話を行うための接続を切断中である旨をユーザに報知する処理の実行を取り止める。
【００６４】
一方、ハンズフリー接続復帰部３４は、ＰＢＡＰを用いた接続中にＨＦＰを用いた接続に失敗した場合、第一の実施形態と同様の、ハンズフリー接続復帰処理を実行する。すなわち、電話帳データ取得処理を完了してＰＢＡＰを用いた接続を切断した後に、ハンズフリー接続処理を再度実行する。この場合は、ＰＢＡＰを用いた接続を行っている携帯電話機２が、シングルプロファイル接続機種であり、ＰＢＡＰを用いた接続中に、同時にＨＦＰを用いた接続を行うことができない場合である。また、ハンズフリー接続復帰部３４は、第一の実施形態と同様に、ＨＦＰを用いた接続処理を開始してから所定時間（例えば１０秒）経過しても、ＨＦＰを用いた接続を完了できない場合は、ＨＦＰを用いた接続に失敗したと判定する。
【００６５】
このように構成することで、携帯電話機２が、上記の条件付きマルチプロファイル接続可能機種である場合にも、電話帳データ３の取得処理を行っている間も、ＰＢＡＰを用いた接続に加えて、ＨＦＰを用いた接続を行うことができ、ＨＦＰを用いたハンズフリー接続が切断されている期間を短縮することができる。
【００６６】
次に、本実施形態に係る制御装置１０の処理について、図６に示すフローチャートを参照して説明する。本実施形態に係る制御装置１０は、以下で説明する点を除き、図２を用いて説明した第一の実施形態と同様である。具体的には、再取得処理部３３は、ＨＦＰを用いた接続の切断完了後に（ステップ♯０７）、ＰＢＡＰを用いた接続処理を実行する（ステップ♯０９）。そして、ハンズフリー接続復帰部３４は、ＰＢＡＰを用いた接続処理の完了後に、ＰＢＡＰを用いた接続を行っている携帯電話機２との間で、ＨＦＰを用いて無線通信部７により接続させる接続処理を実行する（ステップ♯４５）。再取得処理部３３は、ＨＦＰを用いた接続を完了できた場合は（ステップ♯４６：Ｙｅｓ）、ＰＢＡＰを用いて携帯電話機２から電話帳データ３を取得する電話帳データ取得処理を実行する（ステップ♯４８）。そして、ハンズフリー接続復帰部３４は、電話帳データ取得処理が完了した後に、ＰＢＡＰを用いた接続を切断して(ステップ♯４９)、一連の電話帳データ３の取得処理を終了する。
【００６７】
一方、ハンズフリー接続復帰部３４がＨＦＰを用いた接続に失敗したと判定した場合（ステップ＃４６：Ｎｏ）、切断報知部３５は、電話帳データの取得のためにハンズフリー通話を行うための接続を切断中である旨の報知を開始する（ステップ♯４７）。そして、再取得処理部３３は、電話帳データ取得処理を実行する（ステップ♯１０）。ハンズフリー接続復帰部３４は、第一の実施形態と同様に、電話帳データ取得処理が完了した後に、ＰＢＡＰを用いた接続を切断して(ステップ♯１１)、ハンズフリー接続処理を再度実行する(ステップ♯１２)。切断報知部３５は、ＨＦＰを用いた接続完了後に、上記した報知を終了して（ステップ♯１３）、一連の電話帳データ３の取得処理を終了する。
【００６８】
次に、本実施形態に係る制御装置１０の処理について、図７に示すシーケンス図の例に基づき説明する。図７に示すシーケンス図は、携帯電話機２が、上記の条件付きマルチプロファイル接続可能機種である事例における処理を示している。本実施形態に係る制御装置１０は、以下で説明する点を除き、図３を用いて説明した第一の実施形態と同様である。
【００６９】
再取得処理部３３によりＰＢＡＰを用いた接続が完了した後（ステップ♯１１１）、ハンズフリー接続復帰部３４が、携帯電話機２にＨＦＰを用いた接続を要求し（ステップ♯１２０）、上記のように、本事例では、携帯電話機２が、条件付きマルチプロファイル接続可能機種であるため、ＰＢＡＰを用いた接続中に、ＨＦＰを用いた接続を受け入れる（ステップ♯１２１）。これにより、ＰＢＡＰを用いた接続に加えて、ＨＦＰを用いた接続が完了する（ステップ♯１２２）。電話帳データ取得処理が完了すると（ステップ♯１２３）、ハンズフリー接続復帰部３４は、携帯電話機２にＰＢＡＰを用いた接続の切断を要求し（ステップ♯１２４）、携帯電話機２が、ＰＢＡＰを用いた接続の切断を受け入れると（ステップ♯１２５）、ＰＢＡＰを用いた接続の切断が完了し、ＨＦＰを用いた接続のみになる（ステップ♯１２６）。そして、制御装置１０は、一連の電話帳データ３の取得処理を終了する。
【００７０】
〔その他の実施形態〕
（１）上記の各実施形態においては、車載ハンズフリー通話装置１及び携帯電話機２が、無線通信規格としてブルートゥースに対応した近距離無線通信を行う機能を備え、ＨＦＰ及びＰＢＡＰを用いて接続する場合を例に説明した。しかし、本発明の実施形態はこれに限定されない。すなわち、車載ハンズフリー通話装置１及び携帯電話機２は、ブルートゥース以外の無線通信規格、例えば、赤外線通信規格に対応した無線通信を行う機能を備え、各無線通信規格のハンズフリー通話を行うための電話帳データ転送プロトコルを用いて携帯電話機２と接続し、各無線通信規格の電話帳データ転送プロトコルを用いて携帯電話機２と接続して電話帳データ３を取得するようにすることも本発明の好適な実施形態の一つである。
【００７１】
（２）上記の第二の実施形態において、電話帳データ接続取得処理部３２が、電源オフ期間が予め定めた設定期間以下であった場合に、ハンズフリー接続処理の完了後の電話帳データ接続取得処理の実行を取り止める場合を例に説明した。しかし、本発明の実施形態はこれに限定されない。すなわち、車載ハンズフリー通話装置１は、前回電話帳データ３を取得してからの経過期間が予め定めた設定期間以下であるか否かを判定する取得期間判定部を更に備え、電話帳データ接続取得処理部３２は、前回電話帳データ３を取得してからの経過期間が予め定めた設定期間以下であった場合に、ハンズフリー接続処理の完了後の電話帳データ接続取得処理の実行を取り止めるようにすることも本発明の好適な実施形態の一つである。この場合も、電話帳データ３の取得が、必要以上頻繁に、実施されることを抑制することができる。
【００７２】
（３）上記の各実施形態において、制御装置１０が、車両のアクセサリ電源スイッチ４がオンになったことに起因して、一連の電話帳データ３の取得処理を開始する場合を例に説明した。しかし、本発明の実施形態はこれに限定されない。すなわち、制御装置１０が、アクセサリ電源スイッチ４以外の車両の電源スイッチがオンになったこと、又は車両の電源に接続されている車載ハンズフリー通話装置１の電源スイッチがオンになったことに起因して、一連の電話帳データ３の取得処理を開始するようにすることも本発明の好適な実施形態の一つである。
【００７３】
（４）上記の各実施形態において、制御装置１０が、電話帳データ３の転送を行うための電話帳データ転送プロトコルとして、ＰＢＡＰを用いる場合を例に説明した。しかし、本発明の実施形態はこれに限定されない。すなわち、制御装置１０は、電話帳データ３の転送を行うための電話帳データ転送プロトコルとして、ＰＢＡＰ以外のプロトコル、例えば、無線通信規格で定められているオブジェクトプッシュプロファイル（以下、ＯＰＰ（Object Push Profile）と称する）を用いるようにすることも本発明の好適な実施形態の一つである。また、制御装置１０は、電話帳データ転送プロトコルとしてＰＢＡＰ又はＯＰＰの何れを用いるかをユーザにとって選択可能とすると共に当該選択設定を記憶させるようにしてもよい。この場合、制御装置１０は、記憶された選択設定に従って、ＰＢＡＰ又はＯＰＰの何れかを用いて電話帳データ接続取得処理を実行する。ここで、ＯＰＰは、プッシュ型の電話帳データ転送を規定しているプロファイルであり、ユーザは携帯電話機を操作して当該携帯電話機に記憶されている電話帳データのうち転送させる電話帳データを一件ずつ指定する必要があり、選択された件の電話帳データが車載ハンズフリー通話装置１に転送される。
【産業上の利用可能性】
【００７４】
本発明は、携帯電話機から電話帳データを取得する機能を備えた車載ハンズフリー通話装置に好適に利用することができる。
【符号の説明】
【００７５】
１：車載ハンズフリー通話装置
２：携帯電話機
３：電話帳データ
４：アクセサリ電源スイッチ
５：電源回路
６：通話音声入出力部
７：無線通信部
８：データ記憶部
９：ユーザインターフェース部
１０：制御装置
２１：マイク
２２：スピーカ
２３：表示装置
２４：操作入力装置
３１：ハンズフリー接続部
３２：電話帳データ接続取得処理部
３３：再取得処理部
３４：ハンズフリー接続復帰部
３５：切断報知部
【図１】
0005435809.tif 000002
【図２】
0005435809.tif 000003
【図３】
0005435809.tif 000004
【図４】
0005435809.tif 000005
【図５】
0005435809.tif 000006
【図６】
0005435809.tif 000007
【図７】
0005435809.tif 000008